(57)【要約】【課題】炊飯器本体の内部に組付けられた要絶縁部品に被せる絶縁シートを改良して、製造工程において位置ずれしたり外れたりすることなく、安定よく当該部品上に載るようにすることである。【解決手段】胴部材５の内部に組付けたコードリール１６に絶縁シート３１を被せてなる炊飯器の絶縁構造において、上記絶縁シート３１を、コードリール１６の内外両面に対向した内側シート部３４と外側シート部３３と、該コードリール１６の底面に沿って上記両シート部３３、３４の端部相互間を連結する襠部３２とよりなる断面コの字形に形成した。【選択図】　図４
2004089225.tif 000002
【特許請求の範囲】
【請求項１】
胴部材の内部に炊飯部、制御基板、コードリール等を収納し、上記胴部材の下部に底部材を取付けることにより炊飯器本体を構成し、上記制御基板、コードリール等の要絶縁部品に絶縁シートを被せてなる炊飯器の絶縁構造において、上記絶縁シートを要絶縁部品の両面に沿う対向したシート部と、要絶縁部品の底面に沿って上記両シート部の下端相互間を連結する襠部とにより形成したことを特徴とする炊飯器の絶縁構造。
【請求項２】
上記の要絶縁部品がコードリールであり、該コードリールの底部に設けられた底部材差込み用の突片に嵌合する穴を上記絶縁シートの襠部に設け、該襠部を該コードリールの底部に被せると同時に上記穴に前記底部材差込み用の突片を嵌合することを特徴とする請求項１に記載の炊飯器の絶縁構造。
【請求項３】
上記絶縁シートの対向した両シート部のうち、該コードリールの一側面から突き出した充電部をカバーする方のシート部に上記襠部に沿った切込みを設け、その切込みの終端部において該切込みと直角方向に屈曲段差部を設けることによりその屈曲段差部分だけ外方に離れたカバーシート部を形成し、そのカバーシート部により前記充電部をカバーしたことを特徴とする請求項２に記載の炊飯器の絶縁構造。
【請求項４】
上記カバーシート部を設けたシート部と反対側のシート部の上端縁を、コードリールとコードリール収納部内面に設けたリブとの間で挟持させたことを特徴とする請求項３に記載の炊飯器の絶縁構造。
【請求項５】
上記の要絶縁部品が制御基板であり、該制御基板が前記胴部材の内面に設けた下面開放の収納ポケットに差し込んで取付けられ、該制御基板の上端部の両面を挟持する対向一対の挟持リブを該ポケット上端部に設け、該制御基板のプリント配線側の面に接する一方の挟持リブと該プリント配線側の面との間で、前記絶縁シートの一方のシート部の上端縁を挟持させたことを特徴とする請求項１に記載の炊飯器の絶縁構造。
【発明の詳細な説明】
【０００１】
【発明の属する技術分野】
この発明は、炊飯器（炊飯ジャーを含む。）の絶縁構造に関し、特に要絶縁部品に被せられる絶縁シートの構造に関するものである。
【０００２】
【従来の技術】
一般に、炊飯器は、胴部材の内部に炊飯部、制御基板、コードリール等を収納し、上記胴部材の下部に底部材を取付けることにより炊飯器本体を構成し、該炊飯器本体に蓋を開閉自在に取付けた構成をなす。このうち、制御基板は、充電部であるプリント配線部分が外部に露出し、またコードリールは、その片面中央部に設けられたＡＣ電源接続用の端子が外部に露出する。外部に露出したプリント配線部分や電源端子はいずれも充電部である。
【０００３】
このように充電部は、他の部品等との間に十分な絶縁距離を保持するために、一般に所定の距離を置いたり絶縁物を介在したりする措置がとられる。このような措置は、電気的な絶縁を図るだけでなく、絶縁が何らかの原因で破壊されたことに伴う発火の危険を避けるためにも重要である。
【０００４】
一方、炊飯器の小型化の要請から、要絶縁部品と他の部品との間隔はますます小さく設計される傾向にあるため、小型化の要請に適した絶縁構造が求められている実情にある。
【０００５】
このような要請に応える絶縁構造として、特開２００１−３５２１８３号公報には、炊飯器本体の内部に取付けられた要絶縁部品に接近した炊飯器本体の内面に、左右一対のガイド片を設け、そのガイド片間に絶縁シートを挿入する構造が開示されている。
【０００６】
【解決しようとする課題】
しかしながら、上記の絶縁構造は、絶縁シートを取付けるために一対のガイド片を炊飯器本体に設ける必要があるため、炊飯器本体の構造そのものの変更、すなわち、成形金型の変更を伴うため、製作コストに影響する問題がある。また、要絶縁部品と炊飯器本体以外との間の絶縁を図る場合には採用できない構造である問題もある。
【０００７】
要絶縁部品を絶縁する簡便な手段として、相手部品との間に絶縁シートを介在する方法や、絶縁シートを被せる方法が考えられる。この方法は、炊飯器の胴部材を上下反転させその下端の開放部を上に向けて部品を組付けたのち、絶縁シートを差し込んだり、被せたりすることにより組付けられ、その後、胴部材の開放部に底部材が取付けられる。
【０００８】
しかし、上記の絶縁シートは、部品や胴部材等に支持される部分がないため不安定であり、振動その他の影響により組付け位置がずれたり、外れたりする不都合があり、生産能率の向上を阻害する問題がある。
【０００９】
そこで、この発明は、炊飯器本体に特別な構成を付加することなく、しかも安定よく絶縁シートを組付けることができる絶縁構造を提供することを課題とする。
【００１０】
【課題を解決するための手段】
上記の課題を解決するために、この発明は、胴部材の内部に炊飯部、制御基板、コードリール等を収納し、上記胴部材の下部に底部材を取付けることにより炊飯器本体を構成し、上記制御基板、コードリール等の要絶縁部品に絶縁シートを被せてなる炊飯器の絶縁構造において、上記絶縁シートを要絶縁部品の両面に沿う対向したシート部と、要絶縁部品の底面に沿って上記両シート部の下端相互間を連結する襠部とにより形成した構成を採用した。
【００１１】
上記の構成によると、炊飯器本体には絶縁シートを支持する部分を設ける必要がなく、また、絶縁シートは、襠（まち）部があるため、安定よく要絶縁部品の上に載り、位置ずれしたり外れたりする不都合がない。
【００１２】
また、上記の要絶縁部品がコードリールであり、該コードリールの底部に設けられた底部材差込み用の突片に嵌合する穴を上記絶縁シートの襠部に設け、該襠部を該コードリールの底部に被せると同時に上記穴に前記底部材差込み用の突片を嵌合する構成を採ることができる。この場合は、絶縁シートが襠部の存在により安定性が良好であるだけでなく、その襠部に設けた穴にコードリールの突片を嵌合することにより一層安定する。
【００１３】
また、上記絶縁シートの対向した両シート部のうち、該コードリールの一側面から突き出した充電部をカバーする方のシート部に上記襠部に沿った切込みを設け、その切込みの終端部において該切込みと直角方向に屈曲段差部を設けることによりその屈曲段差部分だけ外方に離れたカバーシート部を設け、そのカバーシート部により前記充電部をカバーした構成を採ることもできる。この構成によると、コードリールの充電部が突き出していても、その突き出し量に応じてカバーシート部が無理なく変形して充電部をカバーすることができる。
【００１４】
また、上記カバーシート部を設けたシート部と反対側のシート部の上端縁を、コードリールとコードリール収納部内面に設けたリブとの間で挟持させた構成を採用することもできる。この構成によると、シート部の保持が一層確実となる。
【００１５】
また、上記の要絶縁部品が制御基板であり、該制御基板が前記胴部材の内面に設けた下面開放の収納ポケットに差し込んで取付けられ、該制御基板の上端部の両面を挟持する対向一対の挟持リブを該ポケット上端部に設け、該制御基板のプリント配線側の面に接する一方の挟持リブと該プリント配線側の面との間で、前記絶縁シートの一方のシート部の上端縁を挟持させた構成を採ることができる。
【００１６】
この場合も、炊飯器本体には絶縁シートを支持する部分を設ける必要がなく、また、絶縁シートは、襠部があるため、安定よく要絶縁部品である制御基板上に載り、位置ずれしたり外れたりする不都合がない。さらに、絶縁シートの一方のシートが挟持リブと該プリント配線側の面との間に差し込まれるため一層安定性が良好である。
【００１７】
【発明の実施の形態】
以下、添付図面に基づいてこの発明の実施形態を説明する。図１に示した炊飯器は、炊飯器本体１と、これに対しヒンジ軸２により開閉自在に取付けられた蓋３を有する。炊飯器本体１の両側面にＵ字形のハンドル４の両端部が取付けられる。
【００１８】
炊飯器本体１は、胴部材５及び底部材６を有し、その胴部材５は炊飯部７を支持する肩部８と、炊飯器本体１の外郭を構成する胴部９を一体成形したものである。肩部８と胴部９を別体に成形する場合もあるが、この発明では、一体成形したもの、或いは別体に成形したものいずれも、胴部材と総称する。上記の炊飯部７の底部にヒーター１１を内蔵した加熱板１２が設けられ、その炊飯部７に炊飯鍋１４が出し入れ自在に収納される。上記の炊飯部７の後部と胴部材５の後端面５ａとの間に、該後端面５ａと平行のリール収納部１５が設けられる。
【００１９】
図２、図３（これらは、理解の便宜のために、炊飯器の上下を反転した状態、即ち組立時の状態で示す。以下、説明上、上下関係を示す必要がある場合は、図１の正立状態における上下関係を基準とする。）に示すように、コードリール１６は、扁平な金属製円形のリールケース１７に電源コードを巻き込んだものであり、その底部から電源プラグ１８が突き出している。このコードリール１６は、リールケース１７の両側面が、胴部材５の後端面５ａと平行になるよう、前記のリール収納部１５に収納される。
【００２０】
上記のリールケース１７の中心ボス部１９に一対の電源端子２１、２１が突き出して設けられ、その電源端子２１、２１に図示省略の電源リード線が接続される。また、リールケース１７の外周面の２箇所、即ち、両側面と、底面にそれぞれ突片２２、２３、２４が設けられる。電源プラグ１８が突き出した方向に突き出した突片２２がリール収納部１５の壁面に設けたスリット２５に挿入され、またその反対方向に突き出した突片２３が、同じくリール収納部１５の他方の壁面に設けたスリット２６に挿入され（図４参照）、それぞれ前後方向の位置決めを行う。底面の突片２４は、後述のように、底部材６の穴２７に差し込まれ、上下方向の位置決めを行う。また、コードリール１６はリール収納部１５内に設けられた複数の位置決めリブ２８、２８’により前後方向から支持される（図４（ｂ）、図５参照）。
【００２１】
上記のコードリール１６は、充電部である電源端子２１、２１が胴部材５の後端面５ａに接近しているため、絶縁及び発火防止の規格を満たすべく、その間に絶縁シート３１が介在される。この絶縁シート３１は、絶縁性及び難燃性を備えた厚さ０．１ｍｍの合成樹脂シート（例、ＰＥＴ　ＶＴＭ−２）が用いられ、図６（ａ）（ｂ）に示すように、全体としてコの字形に屈曲され、相互に対向する外側シート部３３と内側シート部３４の下端相互間が一定幅の襠部３２により連結された構造をなす。外側シート部３３は、コードリール１６の電源端子２１、２１が突き出した面と、胴部材５の後端面５ａとの間に介在される部分であり、内側シート部３４はその反対側に介在される部分であり、図６（ｂ）に示すように、内側シート部３４はコードリール１６の径より若干短く形成され（図４参照）、また、外側シート部３３は内側シート部３４より若干長く形成される。
【００２２】
上記の襠部３２の外側シート部３３側の屈曲部分に長穴３５が設けられ、コードリール１６の突片２４がこれに挿通される（図４、図５参照）。また、外側シート部３３の襠部３２に沿った部分に、該襠部３２と平行の切込み３６を外側シート部３３の一側辺からその中程まで設ける。その切込み３６の終端部で該切込み３６に対し直角方向の屈曲段差部３７を設け、その屈曲段差部３７の立ちあがり分だけ外方に離れたカバーシート部３３ａが形成される。また、そのカバーシート部３３ａの上端辺（図６では下端辺に示しているが、前述のように図１の正立状態を基準にすれば上端辺）にＶ字形の切込み３８を設けている。さらに、該カバーシート部３３ａの側辺に突片３９を設けている。
【００２３】
上記の絶縁シート３１を組付ける要領は、図４に示すように、コードリール１６をその収納部１５に組み込む前に、該絶縁シート３１をコードリール１６に被せる。この場合、襠部３２をコードリール１６の底面に沿わせるとともに、内側シート部３４をコードリール１６の内面側に被せ、外側シート部を電源端子２１が突き出した外面側に被せる（図３参照）。この場合、外側シート部３３の屈曲段差部３７から外方に離れたカバーシート部３３ａが電源端子２１をカバーする（図５参照）。
【００２４】
絶縁シート３１を上記のようにコードリール１６に被せたのち、これをコードリール収納部１５に組込む。コードリール１６は、その突片２２、２３がスリット２５、２６に嵌合して位置決めされると同時に、内側シート部３４の上端部がコードリール１６の内面と位置決めリブ２８との間で挟持される。また、カバーシート部３３ａのＶ字形の切込み３８が位置決めリブ２８’に嵌合される。
【００２５】
なお、コードリール１６のもう一つの突片２４は、後述のように、底部材６を胴部材５に取付ける際にその穴２７（図１参照）に差し込まれる。
【００２６】
一方、胴部材５の前端部内面に、下面開放の収納ポケット４１が設けられ、これに制御基板４２が収納される。収納ポケット４１は、図７及び図８に示すように、胴部材５の内側において、炊飯部７に沿って設けられた垂下壁４３と、その両側部において外向きに屈曲された大略三角形の側壁４４、４４を有する。各側壁４４の内側に傾斜リブ４５が設けられる。その傾斜リブ４５の途中にこれを横断するコの字形の切込み４６（図８（ａ）参照）によって区画され、該傾斜リブ４５よりも垂下壁４３側に突き出した部分が自由端となる爪片４７が設けられる。この爪片４７に先端側が低い傾斜突起４８（図８（ｄ）参照）が形成される。また、上記の切込み４６に隣接して、傾斜リブ４５の内側面に小突起４９が設けられる。さらに、上記収納ポケット４１の奥所、即ち上端部内面に、制御基板４２の幅をおいて対向した挟持リブ５１、５１’が左右方向に３対設けられる（図７参照）。
【００２７】
制御基板４２は、図７に示すように、垂下壁４３に沿って下方から差し込まれ、その先端部を挟持リブ５１，５１’間に差し込んだのち、図８（ａ）の矢印ａで示したように、傾斜リブ４５側に倒す。その際、爪片４７の傾斜突起４８に乗り上げ、爪片４７を弾性変形させて乗り越える。これと当時に、制御基板４２の両側辺に設けられた切欠き５２が小突起４９に嵌合される。これにより、制御基板４２は、傾斜リブ４５に押し当てられるとともに、下方への抜け出しが防止され、収納ポケット４１内で支持される（図８（ｃ）（ｄ）参照）。
【００２８】
上記の制御基板４２に被せられる絶縁シート３１’は、前述の場合と同様の絶縁性と難燃性のある合成樹脂シートが用いられ、図９に示すように、コの字形に屈曲して、外側シート部３３’と内側シート部３４’を形成するとともに、その上端相互間を襠部３２’で連結したものである。内側シート部３４’は制御基板４２とほぼ同一の大きさに形成されるが、外側シート部３３’はその半分弱程度の大きさである。
【００２９】
上記の絶縁シート３１’は、制御基板４２の下端辺に襠部３２’を沿わせ、また、内側シート部３４’を制御基板４２のプリント配線面に被せる。外側シート部３３’は制御基板４２の部品搭載面の一部に被せる。このように絶縁シート３１’を制御基板４２に被せた状態で、該制御基板４２を収納ポケット４１に組付けると、絶縁シート３１’の内側シート部３４’の先端部が制御基板４２と挟持リブ５１間で挟持される。
【００３０】
上記のように、制御基板４２に絶縁シート３１’を被せたのち、これを収納ポケット４１内に組付けるようにしてもよいが、先に制御基板４２を組付けたのちに絶縁シート３１’を被せ、内側シート部３４’の先端部を制御基板４２と挟持リブ５１間に差し込むようにしてもよい。
【００３１】
上記の各絶縁シート３１、３１’は、製造工程においては、炊飯器本体１を上下反転し胴部材５の下端開放面を上向きにして組付けられた状態で次工程に送られる間に、外部からの振動等を受けるが、襠部３２、３２’の存在により、安定性がよい。さらに、挟持リブ２８、５１等で挟持したり、絶縁シート３１の場合は、これに設けた穴３５にコードリール１６の突片２４を差し込んだりすることにより一層安定性が増し、外れたり、位置ずれしたりすることがない。
【００３２】
以上のようにして、コードリール１６と制御基板４２に、それぞれ絶縁シート３１、３１’を被せたのちに、底部材６（図２参照）を胴部材５の開放面に被せ、前述のようにコードリール１６の突片２４を底部材６の穴２７に差し込むとともに、電源プラグ１８を底部材６のプラグ穴５３に通す。そのうえで、底部材６を胴部材５に固定する。
【００３３】
底部材６を固定した状態で、コードリール１６に被せられた絶縁シート３１は、図１に示すように、その襠部３２の一部が底部材６の一部に当たることにより、下方への位置ずれが防止される。また、制御基板４２に被せられた絶縁シート３１’もその襠部３２’の一部が底部材６のリブ５４に支持され、下方への位置ずれが防止される。
【００３４】
【発明の効果】
以上のように、この発明は、炊飯器の組付けられるコードリールや制御基板等の要絶縁部品に被せる絶縁シートとして、襠部を有するものを使用したので、製造工程において、安定よく支持される。また、コードリールに被せられる絶縁シートにおいては、これに設けた穴にコードリールの突片を嵌合することにより、一層安定性が増す。さらに、襠部に沿った切込みと屈曲段差部で囲まれたカバーシート部を設けることにより、コードリールの面から突き出した電源端子等の充電部を無理なくカバーすることができる。
【００３５】
また、制御基板用の絶縁シートにおいて、そのシート部の先端を該制御基板と挟持リブとの間で挟持するようにしたので、この場合も安定よく支持することができる。
【図面の簡単な説明】
【図１】実施形態の断面図
【図２】同上の分解斜視図
【図３】（ａ）同上の一部斜視図
（ｂ）同上の一部断面図
【図４】同上の一部分解斜視図
【図５】同上の一部平面図
【図６】（ａ）同上の絶縁シートの斜視図
（ｂ）同上の絶縁シートの側面図
【図７】同上の収納ポケット部分の分解斜視図
【図８】（ａ）同上の収納ポケット部分の断面図
（ｂ）（ａ）図のｂ−ｂ線の断面図
（ｃ）（ａ）図のｃ−ｃ線の断面図
（ｄ）（ａ）図のｄ−ｄ線の断面図
【図９】（ａ）絶縁シートの他の例の斜視図
（ｂ）（ａ）図の側面図
【符号の説明】
１　炊飯器本体
２　ヒンジ軸
３　蓋
４　ハンドル
５　胴部材
５ａ　後端面
６　底部材
７　炊飯部
８　肩部
９　胴部
１１　ヒーター
１２　加熱板
１４　炊飯鍋
１５　リール収納部
１６　コードリール
１７　リールケース
１８　電源プラグ
１９　中心ボス部
２１　電源端子
２２　突片
２３　突片
２４　突片
２５　スリット
２６　スリット
２７　穴
２８、２８’　位置決めリブ
３１　絶縁シート
３２、３２’　襠部
３３、３３’　外側シート部
３３ａ　カバーシート部
３４、３４’　内側シート部
３５　長穴
３６　切込み
３７　屈曲段差部
３８　切込み
３９　突片
４１　収納ポケット
４２　制御基板
４３　垂下壁
４４　側壁
４５　傾斜リブ
４６　切込み
４７　爪片
４８　傾斜面
４９　小突起
５１，５１’　挟持リブ
５２　切欠き
５３　プラグ穴
５４　リブ
【図１】
2004089225.tif 000003
【図２】
2004089225.tif 000004
【図３】
2004089225.tif 000005
【図４】
2004089225.tif 000006
【図５】
2004089225.tif 000007
【図６】
2004089225.tif 000008
【図７】
2004089225.tif 000009
【図８】
2004089225.tif 000010
【図９】
2004089225.tif 000011